(57)【要約】【課題】目頭、目尻の凹み部など変形部にあるまつ毛が短く細い部分への細部塗布や、下まつ毛の短く細い部分への塗布を可能とし、かつまつ毛にボリューム感を出すことが可能である。【解決手段】液塗布具１は、塗布対象に対して塗布液を少量に塗布する少量塗布ブラシ１０と、塗布対象に対して塗布液を多量に塗布する多量塗布ブラシ２０を別体として液塗布具本体３０に備え、少量塗布ブラシ１０と多量塗布ブラシ２０は、それぞれねじり加工された芯材を中心として、直線的に外方にブラシ毛材１１，２１を突出するように植毛した構成であり、ａ．ブラシ毛材の太さの太い細い、ｂ．ブラシ毛材の量の多い少ない、ｃ．ブラシ全体径の大きさの大きい小さい、ｄ．芯材の太さの太い細い、ｅ．芯材のねじりピッチの小さい大きい、ｆ．ブラシ毛材質の違いのうち少なくとも１のブラシ構成要素が異なることで、少量塗布ブラシ１０と多量塗布ブラシ２０が構成される。【選択図】図１
2015029752.tif 000002
【特許請求の範囲】
【請求項１】
塗布対象に対して塗布液を少量に塗布する少量塗布ブラシと、
塗布対象に対して塗布液を多量に塗布する多量塗布ブラシを別体として液塗布具本体に備え、
前記少量塗布ブラシと前記多量塗布ブラシは、それぞれねじり加工された芯材を中心として、直線的に外方にブラシ毛材を突出するように植毛した構成であり、
ａ．ブラシ毛材の太さの太い細い
ｂ．ブラシ毛材の量の多い少ない
ｃ．ブラシ全体径の大きさの大きい小さい
ｄ．芯材の太さの太い細い
ｅ．芯材のねじりピッチの小さい大きい
ｆ．ブラシ毛材質の違いのうち少なくとも１のブラシ構成要素が異なることで、前記少量塗布ブラシと前記多量塗布ブラシが構成されることを特徴とする液塗布具。
【請求項２】
前記少量塗布ブラシを、前記多量塗布ブラシに対して先端側に配置したことを特徴とする請求項１に記載の液塗布具。
【請求項３】
前記少量塗布ブラシと、前記多量塗布ブラシとを並列にし、
前記少量塗布ブラシを、前記多量塗布ブラシに対して先端側へ延ばして配置したことを特徴とする請求項１に記載の液塗布具。
【請求項４】
前記少量塗布ブラシと、前記多量塗布ブラシとを並列にし、
前記少量塗布ブラシを、前記多量塗布ブラシに対して先端側へ延ばして配置し、
並列する部分の前記少量塗布ブラシと前記多量塗布ブラシの少なくとも一方を、軸方向の溝を有するパイプに貫通させ、
前記パイプの溝から前記少量塗布ブラシと前記多量塗布ブラシの少なくとも一方のブラシ毛材を突出させて整列する構成であることを特徴とする請求項１に記載の液塗布具。
【請求項５】
前記液塗布具本体は、
塗布液容器に着脱可能な大型キャップを有し、
前記大型キャップに小型キャップを着脱可能に設け、
前記大型キャップに前記多量塗布ブラシを取り付け、
前記小型キャップに前記少量塗布ブラシを取り付け、
前記小型キャップにより前記少量塗布ブラシを、前記液塗布具本体に着脱可能にしたことを特徴とする請求項１乃至請求項４のいずれか１項に記載の液塗布具。
【発明の詳細な説明】
【技術分野】
【０００１】
この発明は、液塗布具に関し、特にマスカラブラシや毛染めブラシ、アイライナーなどのような化粧用塗布液を塗布する場合に適用して好適なものである。
【背景技術】
【０００２】
このような液塗布具として、例えば、根元側の多量塗布ブラシ部と先細でなる先端側の少量塗布ブラシ部からなる、いわゆる先細ブラシを使用するようになされたものがある（例えば、特許文献１乃至３参照）。この多量塗布ブラシ部がまつ毛の主だった部分に塗布液を濃く塗布するために使用されると共に、この少量塗布ブラシ部が目元や目尻のまつ毛、及び下まつ毛など、まつ毛のうち細く短い微細部に対して少量の塗布液を塗布したり、過剰に塗布した塗布液を取り除くために使用される。
【特許文献１】特開２００２−１７２０１９公報
【特許文献２】特開２００５−８７６３５公報
【特許文献３】特開２００７−３０７３１１公報
【発明の開示】
【発明が解決しようとする課題】
【０００３】
ところで、例えばマスカラ塗布は、一般に上まつ毛への塗布を行っているが、近年メイキャップ美容特にマスカラ使用では目頭、目尻の凹み部など変形部にあるまつ毛が短く細い部分への細部塗布が求められている。また、従来気にしてなかった下まつ毛の短く細い部分への塗布も要求されるようになった。
【０００４】
特許文献１乃至３は、いずれも根元側の多量塗布ブラシ部と先細でなる先端側の少量塗布ブラシ部からなり、１本のブラシにおいて先細ブラシを使用するようになされたものであり、十分に先細りにすることができず、目頭、目尻の凹み部など変形部にあるまつ毛が短く細い部分への細部塗布や、下まつ毛の短く細い部分への塗布には適さなかった。
【０００５】
この発明は、このような実情に鑑みてなされたもので、目頭、目尻の凹み部など変形部にあるまつ毛が短く細い部分への細部塗布や、下まつ毛の短く細い部分への塗布を可能とし、かつまつ毛にボリューム感を出すことが可能な液塗布具を提案しようとするものである。
【課題を解決するための手段】
【０００６】
前記課題を解決し、かつ目的を達成するために、この発明は、以下のように構成した。
【０００７】
請求項１に記載の発明は、塗布対象に対して塗布液を少量に塗布する少量塗布ブラシと、
塗布対象に対して塗布液を多量に塗布する多量塗布ブラシを別体として液塗布具本体に備え、
前記少量塗布ブラシと前記多量塗布ブラシは、それぞれねじり加工された芯材を中心として、直線的に外方にブラシ毛材を突出するように植毛した構成であり、
ａ．ブラシ毛材の太さの太い細い
ｂ．ブラシ毛材の量の多い少ない
ｃ．ブラシ全体径の大きさの大きい小さい
ｄ．芯材の太さの太い細い
ｅ．芯材のねじりピッチの小さい大きい
ｆ．ブラシ毛材質の違いのうち少なくとも１のブラシ構成要素が異なることで、前記少量塗布ブラシと前記多量塗布ブラシが構成されることを特徴とする液塗布具。
【０００８】
請求項２に記載の発明は、前記少量塗布ブラシを、前記多量塗布ブラシに対して先端側に配置したことを特徴とする請求項１に記載の液塗布具である。
【０００９】
請求項３に記載の発明は、前記少量塗布ブラシと、前記多量塗布ブラシとを並列にし、
前記少量塗布ブラシを、前記多量塗布ブラシに対して先端側へ延ばして配置したことを特徴とする請求項１に記載の液塗布具である。
【００１０】
請求項４に記載の発明は、前記少量塗布ブラシと、前記多量塗布ブラシとを並列にし、
前記少量塗布ブラシを、前記多量塗布ブラシに対して先端側へ延ばして配置し、
並列する部分の前記少量塗布ブラシと前記多量塗布ブラシの少なくとも一方を、軸方向の溝を有するパイプに貫通させ、
前記パイプの溝から前記少量塗布ブラシと前記多量塗布ブラシの少なくとも一方のブラシ毛材を突出させて整列する構成であることを特徴とする請求項１に記載の液塗布具である。
【００１１】
請求項５に記載の発明は、前記液塗布具本体は、
塗布液容器に着脱可能な大型キャップを有し、
前記大型キャップに小型キャップを着脱可能に設け、
前記大型キャップに前記多量塗布ブラシを取り付け、
前記小型キャップに前記少量塗布ブラシを取り付け、
前記小型キャップにより前記少量塗布ブラシを、前記液塗布具本体に着脱可能にしたことを特徴とする請求項１乃至請求項４のいずれか１項に記載の液塗布具である。
【発明の効果】
【００１２】
前記構成により、この発明は、以下のような効果を有する。
【００１３】
請求項１に記載の発明では、塗布対象に対して塗布液を少量に塗布する少量塗布ブラシと、塗布対象に対して塗布液を多量に塗布する多量塗布ブラシを別体として液塗布具本体に備え、少なくとも１のブラシ構成要素が異なることで、少量塗布ブラシと多量塗布ブラシが構成され、少量塗布ブラシによって目頭、目尻の凹み部など変形部にあるまつ毛が短く細い部分への細部塗布や、下まつ毛の短く細い部分への塗布が可能で、かつ多量塗布ブラシによってまつ毛にボリューム感を出すことができる。
【００１４】
請求項２に記載の発明では、少量塗布ブラシを、多量塗布ブラシに対して先端側に配置したことで、多量塗布ブラシが邪魔にならず、少量塗布ブラシによって目頭、目尻の凹み部など変形部にあるまつ毛が短く細い部分への細部塗布や、下まつ毛の短く細い部分への塗布が可能である。
【００１５】
請求項３に記載の発明では、少量塗布ブラシと、多量塗布ブラシとを並列にし、少量塗布ブラシを、多量塗布ブラシに対して先端側へ延ばして配置したことで、少量塗布ブラシによって目頭、目尻の凹み部など変形部にあるまつ毛が短く細い部分への細部塗布や、下まつ毛の短く細い部分への塗布が可能で、多量塗布ブラシによって上まつ毛にボリューム感を出すことができる。
【００１６】
請求項４に記載の発明では、並列する部分の少量塗布ブラシと多量塗布ブラシの少なくとも一方を、軸方向の溝を有するパイプに貫通させ、パイプの溝から少量塗布ブラシと多量塗布ブラシの少なくとも一方のブラシ毛材を突出させて整列する構成であり、少量塗布ブラシの先端によって目頭、目尻の凹み部など変形部にあるまつ毛が短く細い部分への細部塗布や、下まつ毛の短く細い部分への塗布が可能で、ブラシ毛材を突出させて整列する多量塗布ブラシによって上まつ毛にボリューム感を出すことができる。
【００１７】
請求項５に記載の発明では、大型キャップに多量塗布ブラシを取り付け、小型キャップに少量塗布ブラシを取り付けており、少量塗布ブラシと多量塗布ブラシによって塗布が可能であるが、小型キャップを取り外して少量塗布ブラシによって目頭、目尻の凹み部など変形部にあるまつ毛が短く細い部分への細部塗布や、下まつ毛の短く細い部分への塗布が可能である。
【図面の簡単な説明】
【００１８】
【図１】第１の実施の形態の液塗布具を示す図である。
【図２】第１の実施の形態の液塗布具を示す図である。
【図３】第１の実施の形態の液塗布具を示す図である。
【図４】第２の実施の形態の液塗布具を示す図である。
【図５】第２の実施の形態の液塗布具を示す図である。
【図６】第３の実施の形態の液塗布具を示す図である。
【図７】第４の実施の形態の液塗布具を示す図である。
【図８】第４の実施の形態の液塗布具を示す図である。
【発明を実施するための形態】
【００１９】
以下、この発明の液塗布具の実施の形態について説明する。この発明の実施の形態は、発明の最も好ましい形態を示すものであり、この発明はこれに限定されない。
【００２０】
［第１の実施の形態］
この実施の形態の液塗布具１は、少量塗布ブラシ１０を、多量塗布ブラシ２０に対して先端側に配置した構成であり、図１乃至図３に示す。液塗布具１は、塗布対象に対して塗布液を少量に塗布する少量塗布ブラシ１０と、塗布対象に対して塗布液を多量に塗布する多量塗布ブラシ２０を別体として液塗布具本体３０に備える。
【００２１】
少量塗布ブラシ１０と多量塗布ブラシ２０は、それぞれねじり加工された芯材１１，２１を中心として、直線的に外方にブラシ毛材１２，２２を突出するように植毛した構成である。ブラシ毛材１２，２２は、０．１〜２．０〔ｍｍφ〕の太さのステンレスでなる線材上に多数のブラシ繊維材料を配列し、この線材を折り曲げてブラシ繊維材料を挟み込んだ状態において線材にねじり加工を施すことにより、ねじり加工された線材でなる芯材１１，２１を中心として、直線的に外方にブラシ毛材１２，２２を突出するように植毛される。ブラシ毛材１２，２２は、材質としてポリエステル、ポリアミド、ポリプロピレンなどを用いて成形される。
【００２２】
少量塗布ブラシ１０と、多量塗布ブラシ２０は、
ａ．ブラシ毛材の太さの太い細い
ｂ．ブラシ毛材の量の多い少ない
ｃ．ブラシ全体径の大きさの大きい小さい
ｄ．芯材の太さの太い細い
ｅ．芯材のねじりピッチの小さい大きい
ｆ.ブラシ毛材質の違いのうち少なくとも１のブラシ構成要素が異なることで構成される。
【００２３】
すなわち、少量塗布ブラシ１０は、ａ．ブラシ毛材の太さの細い、ｂ．ブラシ毛材の量の少ない、ｃ．ブラシ全体径の大きさの小さい、ｄ．芯材の太さの細い、ｅ．芯材のねじりピッチの大きい、ｆ．ブラシ毛材質の違いのうち少なくとも１のブラシ構成要素で構成され、これらのブラシ構成要素を適宜組み合わせてもよい。多量塗布ブラシ２０は、ａ．ブラシ毛材の太さの太い、ｂ．ブラシ毛材の量の多い、ｃ．ブラシ全体径の大きさの大きい、ｄ．芯材の太さの太い、ｅ．芯材のねじりピッチの小さい、ｆ．ブラシ毛材質の違いのうち少なくとも１のブラシ構成要素で構成され、これらのブラシ構成要素を適宜組み合わせてもよい。
【００２４】
この実施の形態の液塗布具１は、塗布対象に対して塗布液を少量に塗布する少量塗布ブラシ１０と、塗布対象に対して塗布液を多量に塗布する多量塗布ブラシ２０を別体として液塗布具本体３０に備え、少なくとも１のブラシ構成要素が異なることで、少量塗布ブラシ１０と多量塗布ブラシ２０が構成され、少量塗布ブラシ１０によって目頭、目尻の凹み部など変形部にあるまつ毛が短く細い部分への細部塗布や、下まつ毛の短く細い部分への塗布が可能で、かつ多量塗布ブラシ２０によってまつ毛にボリューム感を出すことができる。
【００２５】
図１（ａ）の実施の形態は、液塗布具本体３０に先端方向へ延ばした軸部３１を一体に設け、この軸先端部３１ａに少量塗布ブラシ１０の芯材１１を取り付け、少量塗布ブラシ１０は先側に延ばしている。多量塗布ブラシ２０の芯材２１は、支持部３１に沿わせて、基部を液塗布具本体３０に取り付け、先端部を軸先端部３１ａの溝に保持する。
【００２６】
図１（ｂ）の実施の形態は、液塗布具本体３０の一部を棒状に先端方向へ延ばしてコーム３２とし、このコーム先端部３２ａに少量塗布ブラシ１０の芯材１１を取り付け、少量塗布ブラシ１０を先端側に向けて曲げた形状にしている。多量塗布ブラシ２０の芯材２１は、コーム３２に沿わせて、基部を液塗布具本体３０に取り付け、先端部をコーム先端部３２ａの穴に保持する。
【００２７】
図１（ｃ）の実施の形態は、液塗布具本体３０の一部を棒状に先端方向へ延ばして凹凸軸３３とし、この凹凸軸先端部３３ａに少量塗布ブラシ１０の芯材１１を取り付け、少量塗布ブラシ１０を多量塗布ブラシ２０の先端側に傾けている。多量塗布ブラシ２０の芯材２１は、溝を形成した凹凸軸３３に沿わせて、基部を液塗布具本体３０に取り付け、先端部を凹凸軸先端部３３ａに貫通させて保持する。
【００２８】
図１（ｄ）の実施の形態は、図１（ａ）の実施の形態と同様に構成されるが、少量塗布ブラシ１０を先端側に向けて曲げ、芯材１１の基部と先端部を軸先端部３１ａに取り付けている。多量塗布ブラシ２０は、図１（ｂ）の実施の形態と同様に取り付けられる。
【００２９】
図１（ｅ）の実施の形態は、図１（ａ）の実施の形態と同様に構成されるが、多量塗布ブラシ２０は、先端部を軸先端部３１ａにワイヤ、Ｃリング、糸などの結束部材３４で保持する。
【００３０】
図１（ｆ）の実施の形態は、図１（ｂ）の実施の形態と同様に構成されるが、多量塗布ブラシ２０は、先端部をコーム先端部３２ａに結束部材３４で保持する。
【００３１】
図１（ｇ）の実施の形態は、図１（ｃ）の実施の形態と同様に構成されるが、多量塗布ブラシ２０は、先端部を凹凸軸先端部３３ａに結束部材３４で保持する。
【００３２】
図２（ａ）の実施の形態は、液塗布具本体３０にパイプ３５を設け、このパイプ先端部３５ａに少量塗布ブラシ１０の芯材１１を取り付け、少量塗布ブラシ１０は先側に延ばしている。多量塗布ブラシ２０の芯材２１は、パイプ３５に沿わせて、基部を液塗布具本体３０に取り付け、先端部をパイプ先端部３５ａに結束部材３４で保持する。
【００３３】
図２（ｂ）の実施の形態は、図２（ａ）の実施の形態と同様に構成されるが、少量塗布ブラシ１０を先端側に向けて曲げた形状にしている。      
【００３４】
図２（ｃ）の実施の形態は、図２（ａ）の実施の形態と同様に構成されるが、少量塗布ブラシ１０を多量塗布ブラシ２０の先端側に位置するように傾斜させている。
【００３５】
図３（ａ）の実施の形態は、多量塗布ブラシ２０の芯材２１の先端環状部２１ａに少量塗布ブラシ１０の芯材１１の先端側を貫通させて延ばし、この貫通させて延ばした部分にブラシ毛材１２を植毛している。
【００３６】
図３（ｂ）の実施の形態は、多量塗布ブラシ２０の芯材２１の先端環状部２１ａに少量塗布ブラシ１０の芯材１１の先端側を貫通させて環状に曲げ、この貫通させる前段から先端にかけてブラシ毛材１２を植毛している。
【００３７】
図３（ｃ）の実施の形態は、多量塗布ブラシ２０の芯材２１の先端環状部２１ａに少量塗布ブラシ１０の芯材１１の先端側を貫通させて多量塗布ブラシ２０の先端側へ傾斜させ、この貫通させる前段から先端にかけてブラシ毛材１２を植毛している。
【００３８】
この実施の形態では、少量塗布ブラシ１０を、多量塗布ブラシ２０に対して先端側に配置したことで、多量塗布ブラシ２０が邪魔にならず、少量塗布ブラシ１０によって目頭、目尻の凹み部など変形部にあるまつ毛が短く細い部分への細部塗布や、下まつ毛の短く細い部分への塗布が可能である。
【００３９】
［第２の実施の形態］
この実施の形態の液塗布具１は、少量塗布ブラシ１０と、多量塗布ブラシ２０とを並列にし、少量塗布ブラシ１０を、多量塗布ブラシ２０に対して先端側へ延ばして配置した構成であり、図４及び図５に示す。液塗布具１は、塗布対象に対して塗布液を少量に塗布する少量塗布ブラシ１０と、塗布対象に対して塗布液を多量に塗布する多量塗布ブラシ２０を別体として液塗布具本体３０に備える構成は、第１の実施の形態と同様である。
【００４０】
図４（ａ）の実施の形態は、液塗布具本体３０に少量塗布ブラシ１０と、多量塗布ブラシ２０とを並列にし、少量塗布ブラシ１０を、多量塗布ブラシ２０に対して先端側へ延ばして配置した構成であり、多量塗布ブラシ２０の芯材２１の先端環状部２１ａに少量塗布ブラシ１０の芯材１１の先端側を貫通させて延ばしている。
【００４１】
図４（ｂ）の実施の形態は、図４（ａ）の実施の形態と同様に構成されるが、多量塗布ブラシ２０の芯材２１の先端環状部２１ａに、少量塗布ブラシ１０の芯材１１の先端側を貫通させ、多量塗布ブラシ２０の先端側へ傾斜させている。
【００４２】
図４（ｃ）の実施の形態は、図４（ａ）の実施の形態と同様に構成されるが、多量塗布ブラシ２０の芯材２１の先端環状部２１ａに、少量塗布ブラシ１０の芯材１１の先端側を貫通させ、環状に曲げている。
【００４３】
［第３の実施の形態］
この実施の形態の液塗布具１は、図５及び図６に示し、少量塗布ブラシ１０と、多量塗布ブラシ２０とを並列にし、少量塗布ブラシ１０を、多量塗布ブラシ２０に対して先端側へ延ばして配置し、並列する部分の少量塗布ブラシ１０と多量塗布ブラシ２０の少なくとも一方を、軸方向の溝５０ａを有するパイプ５０に貫通させ、パイプ５０の溝５０ａから少量塗布ブラシ１０と多量塗布ブラシ２０の少なくとも一方のブラシ毛材を突出させて整列する構成である。液塗布具１は、塗布対象に対して塗布液を少量に塗布する少量塗布ブラシ１０と、塗布対象に対して塗布液を多量に塗布する多量塗布ブラシ２０を別体として液塗布具本体３０に備える構成は、第１の実施の形態と同様である。    
【００４４】
この実施の形態では、並列する部分の少量塗布ブラシ１０と多量塗布ブラシ２０の少なくとも一方を、軸方向の溝を有するパイプ５０に貫通させ、パイプ５０の溝５０ａから少量塗布ブラシ１０と多量塗布ブラシ２０の少なくとも一方のブラシ毛材を突出させて整列する構成であり、少量塗布ブラシ１０の先端によって目頭、目尻の凹み部など変形部にあるまつ毛が短く細い部分への細部塗布や、下まつ毛の短く細い部分への塗布が可能で、ブラシ毛材を突出させて整列する多量塗布ブラシ２０によって上まつ毛にボリューム感を出すことができる。
【００４５】
図５（ａ）の実施の形態は、液塗布具本体３０にパイプ５０を取り付け、このパイプ５０に少量塗布ブラシ１０を貫通させ、少量塗布ブラシ１０と、多量塗布ブラシ２０とを並列にし、少量塗布ブラシ１０を、多量塗布ブラシ２０に対して先端側へ延ばして配置し、パイプ５０の溝５０ｄから少量塗布ブラシ１０のブラシ毛材１２を突出させて整列する構成である。多量塗布ブラシ２０の芯材２１は、パイプ５０に沿わせて、基部を液塗布具本体３０に取り付け、先端部をパイプ先端部５０ｂに結束部材３４で保持する。
【００４６】
図５（ｂ）の実施の形態は、図５（ａ）の実施の形態と同様に構成されるが、パイプ５０の溝５０ｄが先端側から中央部までに形成されており、この溝５０ｄから少量塗布ブラシ１０のブラシ毛材１２を突出させて整列する構成である。少量塗布ブラシ１０の芯材１１の先端側を環状に曲げている。
【００４７】
図６（ａ）の実施の形態は、液塗布具本体３０にパイプ５０を取り付け、このパイプ５０に少量塗布ブラシ１０と多量塗布ブラシ２０とを並列にし、少量塗布ブラシ１０は、パイプ５０から突出し、多量塗布ブラシ２０に対して先端側へ延ばして配置されている。少量塗布ブラシ１０のブラシ毛材１２は幅が狭い溝５０ａから突出し、多量塗布ブラシ２０のブラシ毛材２２はパイプ５０の幅が広い溝５０ｂから突出し整列されている。パイプ５０の溝５０ａ，５０ｂは先端側を開放した構成である。
【００４８】
図６（ｂ）の実施の形態は、少量塗布ブラシ１０は、先端側がパイプ５０から突出し、多量塗布ブラシ２０に対して先端側へ延ばして先端側を環状に曲げている。少量塗布ブラシ１０のブラシ毛材１２は幅が狭い溝５０ａから突出し、多量塗布ブラシ２０のブラシ毛材２２はパイプ５０の幅がやや広い溝５０ｃから突出し整列されている。パイプ５０の溝５０ｃは先端側を開放しない構成である。
【００４９】
図６（ｃ）の実施の形態は、少量塗布ブラシ１０は、パイプ５０から突出し、多量塗布ブラシ２０に対して先端側へ延ばして先端側を小さく鍵状に曲げている。少量塗布ブラシ１０のブラシ毛材１２は幅が狭い溝５０ａから突出し、多量塗布ブラシ２０のブラシ毛材２２もパイプ５０の幅が狭い溝５０ａから突出し整列されている。パイプ５０の溝５０ａは先端側を開放しない構成である。
【００５０】
図６（ｄ）の実施の形態は、少量塗布ブラシ１０は、パイプ５０から突出し、多量塗布ブラシ２０に対して先端側へ延ばして先端側を大きく縦長の鍵状に曲げている。少量塗布ブラシ１０のブラシ毛材１２はパイプ５０の先端側から中央部に形成された溝５０ａから突出し整列されている。パイプ５０の溝５０ａは先端側を開放しない構成である。
【００５１】
図６（ｅ）の実施の形態は、パイプ５０の溝５０ａを軸方向に長く全体に形成し、少量塗布ブラシ１０と多量塗布ブラシ２０のブラシ毛材１２，２２がパイプ５０の溝５０ａから突出し整列されている。少量塗布ブラシ１０のブラシ毛材１２は、パイプ５０の先端側から中央部に形成された溝５０ａから突出し整列されている。パイプ５０の溝５０ａは先端側を開放した構成である。  
【００５２】
図６（ｆ）の実施の形態は、図６（ｃ）の実施の形態と同様に構成されるが、少量塗布ブラシ１０の先端側を横方向に大きく曲げている。
【００５３】
［第４の実施の形態］
この実施の形態の液塗布具１は、図７及び図８に示すように、液塗布具本体３０は、塗布液容器６０に着脱可能な大型キャップ３８を有し、この大型キャップ３８に小型キャップ３９を着脱可能に設けている。大型キャップ３８に多量塗布ブラシ２０を取り付け、小型キャップ３９に少量塗布ブラシ１０を取り付け、小型キャップ３９により少量塗布ブラシ１０を、液塗布具本体３０に着脱可能にした構成である。
【００５４】
この実施の形態では、大型キャップ３８に小型キャップ３９を取り付けた状態で、少量塗布ブラシ１０と多量塗布ブラシ２０によって塗布が可能であるが、小型キャップ３９を大型キャップ３８から取り外すことで、小型キャップ３９とともに少量塗布ブラシ１０を取り外すことができ、この小型キャップ３９を握って少量塗布ブラシ１０の先端によって目頭、目尻の凹み部など変形部にあるまつ毛が短く細い部分への細部塗布や、下まつ毛の短く細い部分への塗布が可能である。
【００５５】
図８（ａ）の実施の形態は、大型キャップ３８に軸部３８ａが形成され、この軸部３８ａに多量塗布ブラシ２０を取り付けている。また、小型キャップ３９に軸部３９ａが形成され、この軸部３９ａに少量塗布ブラシ１０を取り付けている。この小型キャップ３９の軸部３９ａは、大型キャップ３８の軸部３８ａに貫通されて着脱可能であり、軸部３９ａはＯリング３７によりシールされている。この実施の形態では、小型キャップ３９を大型キャップ３８から引き抜くようにして取り外すことで、軸部３９ａとともに少量塗布ブラシ１０が軸部３８ａから引き抜かれ、小型キャップ３９を握って少量塗布ブラシ１０によって塗布が可能である。
【００５６】
図８（ｂ）の実施の形態は、図８（ａ）の実施の形態と同様に構成されるが、少量塗布ブラシ１０の先端側を多量塗布ブラシ２０の先端側に向けて傾斜させており、少量塗布ブラシ１０の芯材１１が屈曲することで、少量塗布ブラシ１０の着脱が可能である。
【００５７】
図８（ｃ）の実施の形態は、図８（ａ）の実施の形態と同様に構成されるが、小型キャップ３９に軸部３９ｂを、大型キャップ３８の軸部３８ａから突出させている。
【００５８】
図８（ｄ）の実施の形態は、図８（ｃ）の実施の形態と同様に構成されるが、少量塗布ブラシ１０を小さく環状に曲げている。
【００５９】
図８（ｅ）の実施の形態は、図８（ｃ）の実施の形態と同様に構成されるが、少量塗布ブラシ１０を多量塗布ブラシ２０の先端側に向けて傾斜させている。
【産業上の利用可能性】
【００６０】
この発明は、特にマスカラブラシや毛染めブラシ、アイライナーなどのような化粧用塗布液を塗布する場合に適用して好適なものに適用でき、目頭、目尻の凹み部など変形部にあるまつ毛が短く細い部分への細部塗布や、下まつ毛の短く細い部分への塗布を可能とし、かつまつ毛にボリューム感を出すことが可能である。
【符号の説明】
【００６１】
１  液塗布具
１０  少量塗布ブラシ
１１  芯材
１２  ブラシ毛材２０  多量塗布ブラシ
２１  芯材
２１ａ  先端環状部
２２  ブラシ毛材
３０  液塗布具本体
３１  軸部
３１ａ  軸先端部
３２  コーム
３２ａ  コーム先端部
３３  凹凸軸
３３ａ  凹凸軸先端部
３４  結束部材
３５  パイプ
３５ａ  パイプ先端部
３７  Ｏリング
３８  大型キャップ
３８ａ  軸部
３９  小型キャップ
３９ｂ  軸部
５０  パイプ
５０ａ，５０ｂ，５０ｃ，５０ｄ  溝
６０  塗布液容器
【図１】
2015029752.tif 000003
【図２】
2015029752.tif 000004
【図３】
2015029752.tif 000005
【図４】
2015029752.tif 000006
【図５】
2015029752.tif 000007
【図６】
2015029752.tif 000008
【図７】
2015029752.tif 000009
【図８】
2015029752.tif 000010